(57)【要約】【課題】下枠を戸車が走行する引戸において、下枠を人が足裏で踏みつけた場合にも凹凸による違和感を低減できる引戸を提供すること。【解決手段】本発明の引戸１は、障子３の戸車４が下枠５を走行する引戸１において、下枠５は障子３の走行方向に設けた溝１７と、溝１７に脱着自在に取り付けたレール部材１９とを備え、レール部材１９は上面がフラットで且つ下枠上端と略同じ高さの戸車走行部２７と、戸車走行部２７から下方に突設して下端が溝底１７ｃに当接した一方及び他方の脚部２９、３１とを備え、戸車走行部２７と一方及び他方の脚部２９、３１とで断面略コ字状を成している。【選択図】    図１
2005009074.tif 000002
【特許請求の範囲】
【請求項１】
障子の戸車が下枠を走行する引戸において、下枠は障子の走行方向に設けた溝と、溝に脱着自在に取り付けたレール部材とを備え、レール部材は、上面がフラットで且つ下枠上端と略同じ高さの戸車走行部と、戸車走行部から下方に突設して下端が溝底に当接した一方及び他方の脚部とを備え、戸車走行部と一方及び他方の脚部とで断面略コ字状を成していることを特徴とする引戸。
【請求項２】
戸車走行部の幅は下枠の溝幅の半分以上あることを特徴とする請求項１に記載の引戸。
【請求項３】
下枠は溝内に複数の固定部材を備え、複数の固定部材は溝の長手方向に間隔をあけて配置し且つ溝底にねじ固定してあり、レール部材は固定部材に上方から被着していることを特徴とする請求項１又は２に記載の引戸。
【請求項４】
固定部材は、両側部に夫々突設して弾性変形可能な圧接部を備え、圧接部がレール部材の内部で両脚部の内側に当接していることを特徴とする請求項３に記載の引戸。
【請求項５】
レール部材は複数備え、走行方向に複数のレール部材を直列に配置して、下枠に連続して設けてあることを特徴とする請求項１〜４のいずれかに記載の引き戸。
【発明の詳細な説明】
【０００１】
【発明の属する技術分野】
本発明は、床面と段差のないいわゆるバリアフリーの引戸に関する。
【０００２】
【従来の技術】
一般に、障子の戸車が下枠を走行する引戸では、下枠に上方に向けて突設したレールを設け、障子の戸車が下枠のレールを走行するようになっている。
【０００３】
バリアフリーを考慮した引戸においては、特許文献１にあるように、断面略Ｕ字形状のレール部材を用い、略Ｕ字形状の湾曲した上端部を床面と略同じ高さにしているものが公知である。
【０００４】
【特許文献１】
特開平５−２１４８８０号公報
【０００５】
【発明が解決しようとする課題】
しかし、特許文献１の技術においては、レール部材の上端は湾曲（略円弧状）形状であるから、人が足裏で下枠を踏んでしまう場合に、凹凸となって違和感を感じるという不都合がある。
【０００６】
本発明は、上述した事情に鑑みなされたもので、下枠を戸車が走行する引戸において、下枠を人が足裏で踏みつけた場合にも凹凸による違和感を低減できる引戸の提供を目的とする。
【０００７】
【課題を解決するための手段】
上記目的を達成するために、請求項１に記載の発明は、障子の戸車が下枠を走行する引戸において、下枠は障子の走行方向に設けた溝と、溝に脱着自在に取り付けたレール部材とを備え、レール部材は、上面がフラットで且つ下枠上端と略同じ高さの戸車走行部と、戸車走行部から下方に突設して下端が溝底に当接した一方及び他方の脚部とを備え、戸車走行部と一方及び他方の脚部とで断面略コ字状を成していることを特徴とする。
【０００８】
この請求項１に記載の発明では、レール部材の戸車走行部は下枠上端と略同じ高さで且つ上面がフラットであるから、人が足裏で下枠を踏みつけて通った場合にも違和感が少ない。
【０００９】
レール部材は下枠に脱着自在であるから、下枠の溝を清掃するときには、レール部材を外して清掃できるので、清掃しやすい。また、レール部材の交換も容易にできる。
【００１０】
請求項２に記載の発明は、請求項１に記載の発明において、戸車走行部の幅は下枠の溝幅の半分以上あることを特徴とする。
【００１１】
この請求項２に記載の発明では、請求項１に記載の作用効果を奏するとともに下枠の溝をフラットな戸車走行部の占める割合が多いから、レール部材と下枠の溝壁との間の隙間を小さくでき、人が下枠を踏んだときの違和感を更に低減できる。また、戸車走行部の幅が広い分、下枠とレール部材との間の隙間を小さくできるから、隙間に子供等が足の指を引っ掛けたり、手の指を挟むことを防止できる。
【００１２】
請求項３に記載の発明は、請求項１又は２に記載の発明において、下枠は溝内に複数の固定部材を備え、複数の固定部材は溝の長手方向に間隔をあけて配置し且つ溝底にねじ固定してあり、レール部材は固定部材に上方から被着していることを特徴とする。
【００１３】
この請求項３に記載の発明によれば、請求項１又は２に記載の発明と同様な作用効果を奏するとともに、レール部材は固定部材に上方から被着しているので、固定部材を止めているねじが外から見えず、外観が良い。また、レール部材の脱着も容易にできる。
【００１４】
請求項４に記載の発明は、請求項３に記載の発明において、固定部材は、両側部に夫々突設して弾性変形可能な圧接部を備え、圧接部がレール部材の内部で両脚部の内側に当接していることを特徴とする。
【００１５】
請求項４に記載の発明は、請求項３に記載の発明と同様な作用効果を奏するとともに、固定部材に被着したレール部材はその内側から外側に向けた弾性力により圧接部材がレール部材を押圧して係止するので、レール部材のがたつきやずれを防止できる。
【００１６】
請求項５に記載の発明は、請求項１〜４のいずれかに記載の発明において、レール部材は複数備え、走行方向に複数のレール部材を直列に配置して、下枠に連続して設けてあることを特徴とする。
【００１７】
請求項５に記載の発明は、請求項１〜４のいずれかに記載の発明と同様な作用効果を奏するとともに、下枠の溝を清掃するときには下枠よりも短いレール部材を順次取り外して清掃でき、清掃しやすい。また、引戸の施工もレール部材が下枠の長さよりも短いため、扱い易く施工性に優れる。
【００１８】
【発明の実施の形態】
以下に、添付図面を参照して本発明の実施の形態を詳細に説明する。図１は下枠の図であり、（ａ）は下枠の一部を示す平面図、（ｂ）は縦断面図であり、図２は図４に示す引戸の縦断面図であり、図３は図４に示す引戸の横断面図であり、図４は本発明の実施の形態にかかる引戸の正面図であり、図５は固定部材の斜視図である。
【００１９】
本実施の形態にかかる引戸１は、浴室の出入口に用いられる片引き戸であり、障子３は下枠５を戸車４が走行して開閉するようになっている。この引戸１は、下枠５が脱衣室の床面７及び浴室の床面９に対して段差のないバリアフリーになっている。
【００２０】
下枠５は、障子３が閉位置から開位置に至る障子３の走行部に沿って連続しており、開口部１１側には補助下枠１５が取り付けられている。
【００２１】
下枠５は障子３の走行方向に沿って設けた溝１７と、溝１７に脱着自在に取り付けたレール部材１９と、溝１７内に固定した複数の固定部材２１とを備えている。
【００２２】
下枠５の溝１７は断面略コ字形状であり、浴室側と脱衣室側の溝壁１７ａ、１７ｂには防水部材（当接部材）２５の取付溝２３が形成されている。防水部材２５は樹脂製であり、それぞれ取付溝２３に装着されて先端が障子３の下端部３ａの側面に当接するようになっている。防水部材２５は、下枠の長手方向全体に亘って設けてある。
【００２３】
レール部材１９は、断面略コ字形状であり、コ字の開口を下にして配置されており、上面の戸車走行部２７と、戸車走行部２７から下方に突設した一方及び他方の脚部２９、３１とから構成されている。
【００２４】
戸車走行部２７は上面がフラットであり、幅Ｈが下枠の溝幅Ｗの半分以上の寸法を有している。一方の脚部２９は戸車走行部２７の脱衣室側端部から下方に延出しており、他方の脚部３１は浴室側端部から下方に延出している。一方及び他方の脚部２９、３１の下端は溝底１７ｃに当接して、障子３の荷重を受けている。
【００２５】
レール部材１９において、戸車走行部２７と、一方及び他方の脚部２９、３１とが成すコーナ部２０には、Ｒ付けがされており、戸車走行部２７のフラットな上面から水が一方及び他方の脚部２９、３１側に落下しやすくしてあり、戸車走行部２７に水が溜まり難くなっている。
【００２６】
レール部材１９と防水部材２５との間には隙間Ｓが形成されており、この隙間Ｓには障子３を閉めたときに障子３の下端部３ａ（下垂ヒレ）が挿入される。
【００２７】
固定部材２１は、略直方体形状であり、下枠の長手方向に沿って間隔をあけて溝１７内に配置されており、ねじ３３により溝底１７ｃに固定されている。この固定部材２１には上方からレール部材１９が被着されている。
【００２８】
固定部材２１の側壁２１ａには、側方に突設する圧接部３５が設けられている。圧接部３５は固定部材２１の側壁２１ａを切り欠いて形成されており、弾性変形可能に側壁２１から突設されている。この圧接部３５は、レール部材１９が被着されたときにレール部材１９の一方及び他方の脚部２９、３１を内側から外側の向けて押圧する。
【００２９】
下枠５の浴室側には、浴室の開口部に位置する上面材３７が補助下枠１５に取り付けられている。上面材３７の上面には滑り止めが形成されている。また、上面材３７は、竪枠３９に回動自在に設けてある押さえ部材４１により補助下枠１５に押さえ付けて止められている。
【００３０】
次に、本実施の形態にかかる引戸１の作用について説明する。レール部材１９の施工は、下枠５の溝１７内に長手方向に所定間隔を開けて固定部材２１を配置し、固定部材２１を上方からねじ３３で止める。このようにして、複数の固定部材２１を下枠５に固定した後、各固定部材２１にレール部材１９を上から被せるようにして被着する。レール部材１９は複数の固定部材２１に被着するだけで容易に取り付けることができるとともに、簡単に手で取り付け及び取り外しでき、施工性が良い。レール部材１９は固定部材２１に上方から被着しているので、固定部材２１を止めているねじ３３が外から見えず、外観が良い。
【００３１】
固定部材２１に被着されたレール部材１９は、固定部材２１の側部に弾性変形可能に設けた圧接部３５により一方及び他方の脚部２９、３１が内側から押圧されてレール部材１９のぶれやがたつきが防止されている。
【００３２】
レール部材１９の一方及び他方の脚部２９、３１は、それぞれ下端を下枠５の溝底１７ｃに当接して障子３の荷重を受けている。
【００３３】
一方、浴室の出入において、人が素足の足裏で下枠５を踏みつけて通った場合に、レール部材１９の戸車走行部２７は下枠５の上端と略同じ高さで且つ上面がフラットであるから、違和感が少ない。特に、床面７、９と下枠５の戸車走行部２７とが略面一のフラット面となっているので、床面７、９から下枠５に足が踏み変わったときにも違和感が少ない。
【００３４】
また、下枠５の溝１７をフラットな戸車走行部２７の占める割合が下枠５の溝１７幅の半分以上であるから、レール部材１９と溝壁１７ａ、１７ｂとの間の隙間を小さくでき、子供等がこの隙間に足の指を引っ掛けたり、手の指を挟むことを防止できる。
【００３５】
障子３を閉める場合には、障子３の戸車４はレール部材１９上を移動する。障子３の荷重は、下端が下枠５の溝底１７ｃに当接しているレール部材１９が受ける。障子３の両下端部（両垂直ヒレ）３ａはレール部材１９を跨ぎ、溝壁１７ａ、１７ｂに取り付られた防水部材２５、２５が両側から当接するので、障子３がブレたりがたつくのを防止する。また、下枠５の溝１７内に浴室の水が侵入するのを防止する。
【００３６】
また、本実施の形態では、防水部材２５、２５は下枠５の長手方向全体に亘って、即ち開口部１１から袖パネル４５の見付け寸法に亘って設けているので、障子が開口部１１を閉じているときに、脱衣室に露出している下枠５の溝１７を防水部材２５、２５で見えないように塞いでいるので、開口部１１において浴室側から溝１７に侵入した水が袖パネル４５の見付け面側に流れた場合でも、脱衣室側から溝１７内の水が見え難く、外観が良い。
【００３７】
下枠５の溝１７を清掃するときには、レール部材１９は下枠５に脱着自在であるから、レール部材１９を上方に引き上げて外す。これにより、下枠の溝１７はレール部材１９を取り除いて清掃できるので、清掃しやすい。
【００３８】
本発明は、上述した実施の形態に限定されず、本発明の要旨を逸脱しない範囲で種々変形可能である。
例えば、引戸１は浴室の出入口の引戸に限らず、テラスに出入りする出入り口の引戸であってもよい。
【００３９】
また、レール部材１９は下枠５の長さよりも短い長さ、例えば略半分の長さや１／３の長さとして、障子３の走行方向に複数のレール部材１９を直列に連続して配置したものであってもよい。この場合には、下枠５の溝１７を清掃するときには、下枠５よりも短いレール部材１９を順次取り外して清掃でき、清掃しやすい。また、引戸の施工もレール部材１９が下枠５の長さよりも短いため、レール部材１９が扱い易く、施工性に優れる。この変形例の場合において、固定部材２１は隣合うレール部材１９の突合せ箇所に配置することが望ましい、隣合うレール部材１９のずれ（目違い）を防止できるからである。
【００４０】
固定部材２１には、圧接部３５を設けずに、レール部材１９を固定部材２１に対して直接ねじ止めしても良い。
【００４１】
防水部材（当接部材）２５は、下枠５の長手方向全体に亘って設けることに限らず、開口部１１に対応する部分にのみ設けるものであってもよい。
【００４２】
防水部材（当接部材）２５は、下枠５に取り付けることに限らず、障子に取り付けても良い。
【００４３】
【発明の効果】
請求項１に記載の発明によれば、レール部材の戸車走行部は下枠上端と略同じ高さで且つ上面がフラットであるから、人が足裏で下枠を踏みつけて通った場合にも違和感が少ない。
【００４４】
レール部材は下枠に脱着自在であるから、下枠の溝を清掃するときには、外して清掃でき清掃しやすい。また、レール部材の交換も容易にできる。
【００４５】
請求項２に記載の発明によれば、請求項１に記載の効果を奏するとともに、下枠の溝をフラットな戸車走行部の占める割合が多いから、レール部材と下枠の溝壁との間の隙間を小さくでき、人が下枠を踏んだときの違和感を更に低減できる。また、下枠とレール部材との間に、子供等が足の指を引っ掛けたり、手の指を挟むことを防止できる。
【００４６】
請求項３に記載の発明によれば、請求項１又は２に記載の発明と同様な効果を奏するとともに、レール部材は固定部材に上方から被着しているので、固定部材を止めているねじが外から見えず、外観が良い。また、レール部材の脱着も容易にできる。
【００４７】
請求項４に記載の発明によれば、請求項３に記載の発明と同様な効果を奏するとともに、固定部材に被着したレール部材はその内側が弾性力により圧接部材がレール部材を押圧して固定するので、レール部材のがたつきやずれを防止できる。
【００４８】
請求項５に記載の発明によれば、請求項１〜４のいずれかに記載の発明と同様な効果を奏するとともに、下枠には障子の走行方向に複数のレール部材を配置する構成であるから、下枠の溝を清掃するときには、下枠よりも短いレール部材を順次取り外して清掃でき、清掃しやすい。また、引戸の施工もレール部材が下枠の長さよりも短いため、レール部材が扱い易く、施工性に優れる。
【図面の簡単な説明】
【図１】下枠の図であり、（ａ）は平面図、（ｂ）は縦断面図である。
【図２】図４に示す引戸の縦断面図である。
【図３】図４に示す引戸の横断面図である。
【図４】本発明の実施の形態にかかる引戸の正面図である。
【図５】固定部材の斜視図である。
【符号の説明】
１    引戸
３    障子
３ａ  障子の下端部（垂直ヒレ）
５    下枠
１７  溝
１７ａ、１７ｂ  溝壁
１７ｃ  溝底
１９  レール部材
２１  固定部材
２５  防水部材（当接部材）
２７  戸車走行部
２９  一方の脚部
３１  他方の脚部
３３  ねじ
３５  圧接部
【図１】
2005009074.tif 000003
【図２】
2005009074.tif 000004
【図３】
2005009074.tif 000005
【図４】
2005009074.tif 000006
【図５】
2005009074.tif 000007